(57)【特許請求の範囲】
【請求項１】
ドリンクを保持可能なホルダ本体と、該ホルダ本体に移動可能に取りつけられルーバーの手前側端部に係合する部分を有したスライド係止部材と、該スライド係止部材をルーバー側に押し出そうとするバネ材と、先端部にルーバーの奥側端部と係合するためのフック部を備えた係止棒を有し、スライド係止部材の移動と係止棒の回転とが連動しており、スライド係止部材をバネ材に抗してホルダ本体側に移動させると前記フック部の向きがルーバーと略平行となることを特徴とする車載用ドリンクホルダ。
【請求項２】
係止棒の外周部には案内溝が設けられており、案内溝は螺旋状部分を有し、スライド係止部材には案内溝に係合する案内溝係合突起が備えられており、スライド係止部材の移動に伴って案内溝係合突起が案内溝の螺旋部分を通過することにより係止棒が略９０度軸周りに回転することを特徴とする請求項１記載の車載用ドリンクホルダ。
【発明の詳細な説明】
【０００１】
【発明の属する技術分野】
本発明は、自動車のエアコン吹出口のルーバーに装着可能な車載用ドリンクホルダに関するものである。
【０００２】
【従来の技術】
缶やカップに入れられた飲料を保持しつつカーエアコンから吹き出される冷風又は温風を利用してする保温するドリンクホルダが普及している。これらはエアコン吹出口のルーバーに装着され、保持したドリンク缶等にエアコンの風が当たるようにしている。
【０００３】
ルーバーへの装着方法としてはドリンクホルダの背面に設けられた金属製のクリップでルーバーをくわえ込むタイプのものが一般的であるが、このタイプはルーバーに傷をつけやすい。また、ルーバーの幅は各種あるために、１種のクリップで多種の幅の異なるルーバーに対応することは困難であり、取付のガタツキを招いていた。
【０００４】
複数類のクリップを用意しておき、ルーバーの幅に合ったクリップを選択してドリンクホルダに取り付けるタイプのものも存在するが、事実上全てのルーバー幅に対応するための多数のクリップを用意することができず最大公約数的な２種類又は多くても３種類のクリップから選択せねばならず、ガタツキを完全に解消させることはできない。他にも、クリップをつけ替える手間がかかる、使わないクリップが無駄になる等の問題もある。
【０００５】
そこで、１種類で多種のルーバー幅に適応できるような調節機能付きの係止部材が各種考案されているが、ルーバー幅に合わせてルーバー保持部の長さが無段階に調整でき、ルーバーに傷を付けにくいものとして実開平6-53287号に提案されているホルダがある。
【０００６】
このホルダはルーバーの奥端に引っかける上向きの爪部とホルダの背面部との間でルーバー保持部を形成し、バネで常に爪部をホルダに引き込むように力を加えているので、ルーバーの幅にかかわらずルーバーの前後端を保持することができるものである。
【０００７】
しかしながらホルダを装着する際にも、爪部はホルダ側に引っ張られているため、爪部をルーバーに掛けにくい。
【０００８】
ホルダを装着中はホルダを手前に引っ張れば当然ホルダ背面と爪部との間隔が開いて保持部がルーバーから外れやすい。したがってドリンク缶を取るとき等にホルダが不測に外れてしまうおそれもある。
【０００９】
また、取り外す際にも爪部はホルダ側に常に引っ張られているためルーバー奥端から外しにくい。
【００１０】
更に、取り付けるべきルーバーの角度によっては上向きの爪部ではルーバーの奥側の端に引っかけにくいことがある。
【００１１】
尚、実開平6-53287号にはバネの代わりにネジとナットによりルーバー保持部の長さを調整する実施例もあるが、これは狭いホルダ内に指を入れてナットを回す必要があり、バネを使った場合に比べて着脱，調節が困難である。
【００１２】
【発明が解決しようとする課題】
そこで、ルーバーへ装着して用いるドリンクホルダにおいて、ルーバーの幅にかかわらずガタツキなく容易に装着でき、装着中は引っ張られても外れにくく、取り外し時には容易に取り外しできるものを提供することが課題となる。
【００１３】
【課題を解決するための手段】
請求項１の車載用ドリンクホルダは、ドリンクを保持可能なホルダ本体(1)，(4)，(6)と、該ホルダ本体に移動可能に取りつけられルーバー(50)の手前側端部に係合する部分(2b)を有したスライド係止部材(2)と、該スライド係止部材(2)をルーバー側に押し出そうとするバネ材(10)と、先端部にルーバー(50)の奥側端部と係合するためのフック部(3a)を備えた係止棒(3)を有し、スライド係止部材(2)の移動と係止棒(3)の回転とが連動しており、スライド係止部材(2)をバネ材(10)に抗してホルダ本体側に移動させると前記フック部(3a)の向きがルーバー(50)と略平行となることを特徴とする。
【００１４】
これによれば、取付時にスライド係止部材をホルダ本体側に移動させると係止棒のフック部の向きがルーバーと略平行となるので、係止棒をエアコン吹出口のルーバー間に挿入しやすい。スライド係止部材を戻すとフック部がルーバーに対して略垂直となりルーバーの奥側端部と係合する。
【００１５】
又、バネの力によりスライド係止部材がルーバーの手前側端部に係合する。ルーバーの幅によらず、フック部とスライド係止部材によりルーバーを前後から挟持することとなるので、スライド係止部材をホルダ本体側に移動させ無い限りドリンクホルダはルーバーから外れない。取り外す際にはスライド係止部材をホルダ本体側に移動させるとフック部がルーバーと略平行となりルーバーの奥側端部から外れるので、容易に取り外すことができる。
【００１６】
請求項２の車載用ドリンクホルダは、請求項１のドリンクホルダにおいて、係止棒(3)の外周部には案内溝(3b)が設けられており、案内溝は螺旋状部分を有し、スライド係止部材(2)には案内溝(3b)に係合する案内溝係合突起(2d)が備えられており、スライド係止部材(2)の移動に伴って案内溝係合突起(2d)が案内溝(3b)の螺旋部分を通過することにより係止棒(3)が略９０度軸周りに回転することを特徴とする。
【００１７】
これによれば、スライド係止部材(2)の移動と係止棒(3)の回転（フックの向き）を連動させることができる。そして、案内溝(3b)の形状を変化させることにより連動の仕方を変化させることができる。
【００１８】
【発明の実施の形態】
以下、本発明を好適な実施例を用いて説明する。
【００１９】
図１は本実施例のドリンクホルダを示した図であり、同図は装着前の状態を示している。図中（Ａ）は側面図、（Ｂ）は平面図である。
【００２０】
缶やカップ等のドリンクを保持可能なホルダ本体は大きく分けて本体上部(1)、下方支持部(4)、ステー部(6)とからなっている。本体上部(1)の開口部にドリンクを差し入れると、ドリンクは下方に位置する下方支持部(4)の上に載置される。下方支持部(4)の上面にはゴムやフェルト等のクッション材を取り付けても良い。
【００２１】
本体上部(1)と下方支持部(4)とを連結するステー部(6)は、上下端に回転軸を有しており、夫々の回転軸に本体上部(1)と下方支持部(4)とが取り付けられている。ちなみにストッパーを解除するとステー部(6)に対して本体上部(1)と下方支持部(4)とを回転させてドリンクホルダをコンパクトに畳み込むことができる。
【００２２】
(5)は本体上部(1)に設けられたスペーサであり、通常はバネにより略水平な状態となっており径の小さな缶(C2)を保持させた際に開口部の実質的な大きさを小さくして缶(C2)が倒れたりがたついたりしないようにすることができる。そして、径の大きな缶(C1)等を保持する際には、缶(C1)を差し入れる等してバネに抗してスペーサ(5)を押し下げると、十分な開口面積を確保することができる。
【００２３】
(7)は下方支持部(4)にスライド可能に取り付けられたアジャスターであり、ドリンクホルダをルーバーに取り付けた際にエアコン吹出口下方のダッシュボートと当接するように突出させることにより取り付けを安定させることができる。
【００２４】
(2)は本体上部(1)に取り付けられたスライド係止部材であり、常にバネ(10)によりルーバー側、すなわち本体から離れる方向に押し出されるように力を受けている（具体的な構成は後述する）。
【００２５】
スライド係止部材(2)の上部(2a)は本体上部(1)の上部に突出しており、スライド係止部材(2)を動かす際に指を掛けることができる。尚、(2a)上には掛けた指が滑りにくいように表面に凹凸等の滑止部を形成したり、別途ゴムやフェルト等の滑止材を取り付ける等しても良い。スライド係止部材(2)のルーバー側の端部にはルーバーの手前側端部と係合するための溝部(2b)が設けられている。
【００２６】
(3)は先端部にルーバーの奥側端部と係合するためのフック部(3a)を備えた係止棒であり、本体上部(1)に取り付けられている。係止棒(3)は軸芯周りに回転可能なように取り付けられており、スライド係止部材(2)の移動と連動して約９０度回転することができる。
【００２７】
図５は、スライド係止部材(2)と係止棒(3)との連動を説明ための図である。(A)は上面から見た図であり、(B)は本体上部(1)の内側から見た図である。
【００２８】
スライド係止部材(2)はルーバーと水平な方向に突出する突出片(2e)を両側に有している。突出片(2e)には係止棒貫通孔(2c)が設けられ、更に各係止棒貫通孔(2c)の内側には案内溝係合突起(2d)が設けられている。
【００２９】
係止棒(3)は係止溝部(3d)が本体上部(1)の外周部(1a)に設けられた穴に係止され、スライド係止部材(2)の係止棒貫通孔(2c)を貫通してフック部(3a)と反対側の端部(3c)が本体上部(1)の内周部（開口部側）(1b)に穴に差し込まれている。
【００３０】
係止棒(3)の周囲には係止棒貫通孔(2c)と本体上部(1)の内周部との間の箇所にコイルバネ(10)が取り付けられている。このコイルバネ(10)が前述したようにスライド係止部材(2)を常にルーバー側に押し出す働きをしている。尚、スライド係止部材(2)はコイルバネ(10)により押し出されようとする力を受けるが、突出片(2e)が本体上部(1)の外周部(1a)と当接するため、本体上部(1)から外れてしまうことはない。又、実施例では係止棒(3)の周囲にバネ(10)を配したが、別の位置に設けても良い。
【００３１】
係止棒(3)の外周部には、係止棒貫通孔(2c)の内側の案内溝係合突起(2d)と係合する案内溝(3b)が設けられている。この案内溝(3b)は係止棒(3)の軸方向に直線状に設けられた部分と、軸方向に対して斜めに螺旋状に設けられた部分を有している。
【００３２】
スライド係止部材(2)をスライドさせると、案内溝係合突起(2d)の位置も移動することとなるが、案内溝(3b)は常に案内溝係合突起(2d)と係合しようとする。したがって案内溝係合突起(2d)が案内溝(3b)の直線状部分を移動する際には係止棒(3)は回転しないが、螺旋状部分を移動する際には係止棒(3)は回転することになる。
【００３３】
図５は、スライド係止部材(2)を最もルーバーから離れる方向に移動させた状態を示しているが、この状態では係止棒(3)はフック部(3a)がルーバーに平行な方向に向くこととなる。又、同図では片方の係止棒(3)のみ表示したが、反対側の係止棒(3)は図示したものと対象な形状となっており、案内溝係合突起(2d)も対象位置に設けられているため、図示した係止棒(3)と対象に回転することとなる。
【００３４】
すなわち、スライド係止部材(2)を最もルーバーから離れる方向に移動させた状態では、両方の係止棒(3)はフック部(3a)が互いに向き合うように回転する。尚、本実施例では係止棒(3)はフック部(3a)が向き合うように（内側に向くように）回転させたが、回転方向はこれに限定されるものではなく、他の方向に回転するようにしても良い。
【００３５】
スライド係止部材(2)をルーバー側に移動させると案内溝係合突起(2d)が案内溝(3b)の螺旋状部分を通過する際に２本の係止棒(3)はいずれもフック部(3a)が下方を向くように約９０度回転する。
【００３６】
このように係止棒(3)の回転とスライド係止部材(2)とは連動しているが、案内溝(3b)の形状、例えば螺旋状部分の位置や長さ等を変化させることにより連動の仕方（スライド係止部材(2)の位置と係止棒(3)の回転の程度）を変えることができる。したがって、使い勝手が良く、しかもスムーズに連動するように設計することが望ましい。
【００３７】
次に、このホルダをルーバ(50)に装着する際の動作を説明する。図１の状態はスライド係止部材(2)に力を加えていない場合であったが、指を掛けて引く等してバネ(10)に抗してスライド係止部材(2)をルーバーから離れる方向（本体上部(1)に入り込んでいく方向に）に移動させる。
【００３８】
図２は、スライド係止部材(2)のルーバー側の先端が本体上部(1)の外周と面一になるまで移動した状態を示している。この状態では２本の係止棒(3)はいずれも図１の状態から変化がなく、フック部(3a)は下方を向いたままである。
【００３９】
図３は、スライド係止部材(2)を更にルーバーから離れる方向に移動させた状態を示している。この場合はスライド係止部材(2)と係止棒(3)は図５に示したのと同様な状態となり、係止棒(3)は互いのフック部(3a)が向き合うように回転する。この状態を維持しながら係止棒(3)をルーバー(50)の間に差し入れるようにドリンクホルダをエアコン吹出口に近づけていく。係止棒(3)のフック部(3a)はルーバー(50)と略平行になっており、しかも内側に向いているためルーバー(50)と引っかかることなく差し入れることができる。
【００４０】
十分に係止棒(3)をエアコン吹出口に差し入れた後にスライド係止部材(2)を戻していく（ルーバー(50)側に移動させる）と再び図２に示すような状態となり、フック部(3a)がルーバー(50)と略垂直な状態となる。尚、スライド係止部材(2)はバネ(10)によりルーバー(50)に押されているので、スライド係止部材(2)を引いている指の力を抜いていくことによりスライド係止部材(2)は自然にルーバー(50)側に移動する。
【００４１】
そしてルーバー(50)と略垂直な状態となったフック部(3a)をルーバー(50)の奥側端に引っかけて、更にスライド係止部材(2)をルーバー(50)側に移動させる。すると図４に示すようにスライド係止部材(2)の溝部(2b)が、ルーバー(50)の手前側端部と係合する。この状態でスライド係止部材(2)から指を離すと、ルーバー(50)はその幅の大小にかかわらず、バネ(10)の力によりスライド係止部材(2)と係止棒(3)のフック部(3a)とで前後から挟持されることとなる。
【００４２】
これによりルーバー(50)への取り付けが完了するが、必要ならば下方支持部(4)にスライド可能に取り付けられているアジャスター(7)を突出させて、エアコン吹出口下方のダッシュボートと当接するようにすればドリンクホルダの取り付けが更に安定したものとなる。
【００４３】
装着中のドリンクホルダは、手前に引っ張ってもフック部(3a)がルーバーの奥側端を係止しているためにルーバー(50)から外れてしまうことはない。又、ドリンクホルダをルーバー側に押しつけてもルーバー(50)が本体上部(1)の外周と当接するのでスライド係止部材(2)が図２に示す状態よりも本体上部(1)の内側に入り込むことはない。この状態でもフック部(3a)はルーバーの奥側端を係止し続けているのでルーバー(50)から外れてしまうことはない。
【００４４】
ドリンクホルダを外す際には指でスライド係止部材(2)を引きつつドリンクホルダを若干エアコン吹出口奥側に移動させる。そして更にスライド係止部材(2)を引き図３に示すような状態とすることにより係止棒(3)を回転させ、フック部(3a)の向きをルーバー(50)とほぼ並行にしてルーバー(50)の奥側端から外す。後はそのままドリンクホルダ本体を手前に移動させるだけで容易にルーバー(50)から取り外すことができる。
【００４５】
【発明の効果】
以上述べたように、本発明によりルーバーへ装着して用いるドリンクホルダにおいて、ルーバーの幅にかかわらずガタツキなく容易に装着でき、装着中は引っ張られても外れにくく、取り外し時には容易に取り外しでき、着脱時においてルーバーを傷つけることのないものを提供することができる。
【図面の簡単な説明】
【図１】実施例を示した図（その１、Aは側面図、Bは平面図）。
【図２】実施例を示した図（その２、Aは側面図、Bは平面図）。
【図３】実施例を示した図（その３、Aは側面図、Bは平面図）。
【図４】実施例を示した図（その４、Aは側面図、Bは平面図）。
【図５】スライド係止部材と係止棒との連動を説明する図。
【符号の説明】
(1) 本体上部
(2) スライド係止部材
(2b)  溝部
(2c)  係止棒貫通孔
(2d)  案内溝係合突起が設けられている
(3) 係止棒
(3a)  フック部
(3b)  案内溝
(4) 下方支持部
(7) アジャスター
(10)  コイルバネ
(50)  ルーバー
【図１】
0003691969.tif 000002
【図２】
0003691969.tif 000003
【図３】
0003691969.tif 000004
【図４】
0003691969.tif 000005
【図５】
0003691969.tif 000006